【事件の表示】
　特願２００８−５４１８７６「混濁媒体の内部のイメージングのための方法及びデバイス」拒絶査定不服審判事件〔平成１９年　５月３１日国際公開、ＷＯ２００７／０６０６０２、平成２１年　４月２３日国内公表、特表２００９−５１６８４９〕について、次のとおり審決する。
【結　論】
　本件審判の請求は、成り立たない。
【理　由】
第１　手続の経緯　
　本願は，平成１８年１１月２１日（パリ条約による優先権主張２００５年１１月２３日，欧州特許庁（ＥＰ））を国際出願日とする出願であって，平成２３年１０月１２日付けで拒絶理由が通知され，平成２４年３月３０日付けで手続補正がなされ，同年１２月１３日付けで拒絶査定がなされ，平成２５年３月１５日に拒絶査定不服審判の請求がなされるとともに，同日付けにて手続補正（以下，「本件補正」という。）がなされたものである。
　
第２　本件補正についての補正の却下の決定　　
［補正の却下の決定の結論］　　
　平成２５年３月１５日付け手続補正を却下する。　　
　　　
［理由］　　
１　本件補正について（下線は補正箇所を示す。）　　
　本件補正により，補正前の特許請求の範囲の請求項５は，
「　【請求項１】
　混濁媒体の内部をイメージングする方法において，
　複数のソース位置と複数の検出位置とを有するレセプタクルにより境界を接する測定ボリューム内部に前記混濁媒体を収容するステップであって，
前記複数のソース位置と前記複数の検出位置と
　前記混濁媒体に対する前記複数のソース位置から光源からの光を
前記複数のソース位置を切り替えながら
　前記混濁媒体の照射の結果として前記測定ボリュームから生じる光を前記複数の検出位置から検出することにより，検出器信号を取得するステップと，
　各ソース位置対検出位置ペアに対する前記検出器信号を
複数の
前記複数のソース位置の切り替えに同期して，
　少なくとも１つのソース位置対検出位置ペアに対する前記増幅係数が，予想電気信号強度の推定に基づき選択される，方法。
　　【請求項４】
　前記予想電気信号強度の推定が，少なくとも１つのマルチゲイン増幅ユニットの増幅係数の選択に関する履歴データに基づかれる，請求項１に記載の方法。」
と補正された。　　
　本件補正は，補正前の請求項５に係る発明を特定するために必要な事項である「両タイプの位置」について，「
前記複数のソース位置と前記複数の検出位置と
「複数のソース位置から光源からの光を前記混濁媒体に照射する」ことについて，「複数のソース位置から光源からの光を
前記複数のソース位置を切り替えながら
前記複数のソース位置を切り替えながら
「各ソース位置対検出位置ペアに対する前記検出器信号をマルチゲイン増幅ユニットを用いて増幅するステップ」について「各ソース位置対検出位置ペアに対する前記検出器信号を
複数の
「各ユニットが，選択された増幅係数に設定される」について，「各ユニットが，
前記複数のソース位置の切り替えに同期して，
　したがって，本件補正は，平成１８年法律第５５号改正附則第３条第１項によりなお従前の例によるとされる同法による改正前（以下，「平成１８年法改正前」という。）の特許法第１７条の２第４項第２号の特許請求の範囲の減縮を目的とするものに該当する。
　そこで，本件補正後の前記請求項４に係る発明（以下「補正発明」という。）が，特許出願の際独立して特許を受けることができるものであるか（平成１８年法改正前の特許法第１７条の２第５項において準用する同法第１２６条第５項の規定に適合するか）について以下に検討する。
　
２　引用刊行物およびその記載事項（下線は当審で付与した。）
（１）本願の優先権主張日前に頒布され，原査定の拒絶の理由に引用された刊行物である特表２００３−５０９６８７号公報（以下，「刊行物１」という。）には，「散乱媒体の動的性質のトモグラフィ画像化システム及び方法」について，図面とともに次の事項が記載されている。
（１−ア）
「【特許請求の範囲】
　　　　【請求項１】　　
散乱媒体
　　信号を放出し，少なくとも１つのエネルギ送信機が結合されているエネルギ源と，
　　前記エネルギ源に結合されており，前記散乱媒体の動的性質を測定する少なくとも１つのエネルギ受信機を含む検出器システムと，
　　を備えていることを特徴とするシステム。
　　　　【請求項２】　　請求項１記載のシステムにおいて，それを保持する前記エネルギ送信機及び受信機として結合された画像化ヘッドを更に含むことを特徴とするシステム。
  　　  【請求項５】  請求項１記載のシステムにおいて，前記検出器システムは前記
エネルギ源によって放出された信号を固定するサンプル・ホールド回路
　
（１−イ）
「【０００６】
　【発明の属する技術分野】
　　本発明は，散乱媒体の動的性質のトモグラフィ画像化（tomographic　imaging）のためのシステム及び
方法
・・・
【００１２】
    【発明の概要】
  本発明は，散乱媒体における動的性質の画像を発生するシステム及び方法を提供する。このシステムは，ＮＩＲ放射源などのエネルギ源と，受け取ったエネルギを測定する検出器システムとを含む。ある実施例では，
この検出器システムは，フォトダイオードなどの光検出器を少なくとも１つと，信号ゲインを迅速に調節する手段と，組織の光学的性質における動的変動を調査するために測定された応答を保持する装置とを有する。
　
（１−ウ）
「【００２１】
　他の実現例では，イメージ
再構築方法
散乱媒体の断面図の
・・・
【００２８】
　図１は，本発明のある実施例を図解している。示されているのは，媒体１０２を備えたシステム１００である。媒体は，用いられているソースのエネルギのその中での伝搬が散乱によって強く影響されるものであれば，どのような媒体でもよい。
【００２９】
　
　ソース・モジュール１０１から，エネルギは媒体１０２に向けられ，媒体から出てくるエネルギは検出器１０６を用いて測定される。
　
（１−エ）
「【００４３】　図４に図解されているように，アイリス・ユニットを，容積画像化の検討を可能にするアイリス４０２，４０４，４０６の並列アレイとして用いることができる。図４には，画像化ヘッド４０８を用い，これをどのように構成することによって媒体４１０を調べることができるのかが図解されている。この例では，媒体４１０は人間の胸部である。既に述べたように，本発明において用いられる媒体は，エネルギの散乱を許容する任意の媒体でありうる。」
　
（１−オ）
「【００４８】・・・図７の装置を調節することにより，一様な膨張又は収縮が生じ，それによって，半球型の幾何学的形状が常に保存される。画像化ヘッド７００は，「ホバーマン」の幾何学的形状への修正の一例を図解している。ファイバ束７０１のための容器が，画像化ヘッド７００の周囲に配置されている。この幾何学的形状は，
頭部や女性の胸部などのある種の組織の検査に適している。実現例によっては，光ファイバを半球の頂点に取り付けることにより，１７のソースｘ１７の検出器までの測定が可能になる。検出器すなわちエネルギ受信機は球型の画像化ヘッドの周囲に配置され，検出器は拡張する画像化ヘッドの内側に接するように配置される
【００４９】
　実現例によっては，ターゲット媒体から収集された光は，任意の数の光検出器方式を用いて測定される。ある実施例では，電荷結合型検出器（ＣＣＤ）アレイに結合されているファイバ・テーパを用いる。ファイバ・テーパの前端部は，収集ファイバからの光を受け取るように機能する。これらのファイバは，光ファイバであることが好ましいが，信号の送信及び受信を許容する任意の手段でかまわない。ファイバ・テーパの後端部は，２Ｄの電荷結合型検出器（ＣＣＤ）アレイに結合されている。実際には，このアプローチを用いる場合には，追加的な信号減衰モジュールが必要になるのが一般的である。」
　
（１−カ）
「【００５３】　図８は，検出器チャネルのある実現例のブロック図を示している。この実現例では，２つのエネルギ源が用いられている。
光検出器８０２によって光入力８０１において光を検出した後で，信号は，相互インピーダンス増幅器８０３に与えられる。８０３の相互インピーダンス値は，デジタル信号によって外部から設定可能である
これによって，様々な信号レベルへの適用が可能となり，検出器チャネルのダイナミック・レンジが増加する。信号は，後に，プログラマブル・ゲイン増幅器（ＰＧＡ）によって増幅される。この増幅器のゲインは，デジタル信号８１４によって外部から設定することができる。これにより，最低の信号レベル（例えば，ある実現例では，〜ｐＷ−ｎＷ）に対して追加的なゲインを与え，従って，検出器チャネルのダイナミック・レンジを増加させる。
【００５４】
　　ある実施例では，少なくとも１つのエネルギ源が用いられ，信号はロックイン増幅器（ＬＩＡ）８０５，８０９の少なくとも一方に送られる。ロックイン増幅器は，それぞれが，図２の位相シフタ２０４によって発生される基準信号のための入力８０８，８１２を備えている。
ロックイン検出の後では，復調された信号は，プログラマブル・ゲイン増幅器（ＰＧＡ）８０６，８１０によってゲインが適切にブーストされ，
ＰＧＡ８０６，８１０は，デジタル信号によって設定される。
　
（１−キ）
「【００５９】　図１０は，あるソース位置におけるデータの収集とこのプロセスの時間的進行１００２とに関係するシステム・タスク１００１の詳細なスケジュール及びシーケンスのある実施例を示している。
タスク１００３は，光学的デマルチプレクサを予定されているソース位置に設定し，検出器のゲインを適切に設定することである。ソース位置は，ある時間期間の間照射されるが，
Ｓ／Ｈが信号をサンプリングするのに要する時間１００６が経過した後で，信号は，すべてのチャネルがデータ取得によって読み出される時間期間１００７の間保持される。Ｓ／Ｈの読出しの間に，光源の移動，新たなソース位置のための検出器ゲインの設定及びロックインの安定化のようなそれ以外のタスクのスケジュールが決定される
　
　上記（１−ア）〜（１−キ）の記載と第１〜１３図（特に第１，７，８，１０図）を参照し，上記摘記事項（１−キ）の記載を検討すると「タスク１００３は，光学的デマルチプレクサを予定されているソース位置に設定し，検出器のゲインを適切に設定することである。」との記載より，照射前の準備として（Ａ）「光学的デマルチプレクサを予定されているソース位置に設定し，検出器のゲインを適切に設定するステップ」を内在していることは明らかであり，「ソース位置は，ある時間期間の間照射される」との記載より，「光源」による「散乱媒体」の照射について（Ｂ）「ソース位置で，ある時間期間の間，散乱媒体が照射されるステップ」を内在していることは明らかであり，「Ｓ／Ｈが信号をサンプリングするのに要する時間１００６が経過した後で，信号は，すべてのチャネルがデータ取得によって読み出される時間期間１００７の間保持される。Ｓ／Ｈの読出しの間に，光源の移動，新たなソース位置のための検出器ゲインの設定及びロックインの安定化のようなそれ以外のタスクのスケジュールが決定される」との記載より，照射中の受光データの作成と照射後の受光データの読み出しについて（Ｃ）「散乱媒体から放出され検出器が検出した光をＳ／Ｈがサンプリングするステップ」と，その後（Ｄ）「Ｓ／Ｈ信号は，すべてのチャネルがデータ取得によって読み出されるステップであって，そのＳ／Ｈ信号の読出しの間に，光源の移動，新たなソース位置のための検出器ゲインの設定及びロックインの安定化のようなそれ以外のタスクのスケジュールが決定されるステップ」を備えているいることは明らかであることを考慮すると，上記刊行物１には，次の発明が記載されていると認められる。
「散乱媒体の断面図の再構築方法であって，
頭部や女性の胸部などの散乱媒体の検査のため，光ファイバを半球の頂点に取り付けることにより，１７のソース×１７の検出器までの測定が可能になる，検出器は球型の画像化ヘッドの周囲に配置され，検出器は拡張する画像化ヘッドの内側に接するように配置される画像化ヘッド７００を用い，
（Ａ）光学的デマルチプレクサを予定されているソース位置に設定し，検出器のゲインを適切に設定するステップと，
（Ｂ）ソース位置で，ある時間期間の間，散乱媒体が照射されるステップと，
（Ｃ）散乱媒体から放出され検出器が検出した光をＳ／Ｈがサンプリングするステップと，
（Ｄ）Ｓ／Ｈ信号が，すべてのチャネルがデータ取得によって読み出されるステップであって，そのＳ／Ｈ信号の読出しの間に，光源の移動，新たなソース位置のための検出器ゲインの設定及びロックインの安定化のようなそれ以外のタスクのスケジュールが決定されるステップとを有し，
光検出器８０２によって光入力８０１において光を検出した後で，信号は，相互インピーダンス増幅器８０３に与えられ，
信号は，後に，プログラマブル・ゲイン増幅器（ＰＧＡ）によって増幅され，この増幅器のゲインは，デジタル信号８１４によって外部から設定することができ，
ロックイン検出の後では，復調された信号は，プログラマブル・ゲイン増幅器（ＰＧＡ）８０６，８１０によってゲインが適切にブーストされ，ＰＧＡ８０６，８１０は，デジタル信号によって設定される，方法。」
　
（２）本願の優先権主張日前に頒布された刊行物である特開２００４−３５０８６３号公報（以下，「刊行物２」という。）には，「散乱吸収体計測装置の校正方法，校正装置，及びそれを用いた散乱吸収体計測システム」について，図面とともに次の事項が記載されている。
（２−ア）
「【００４９】図３（ａ）に示すように，
校正用ファントム５０
・・・
【００５８】図１に示した散乱吸収体計測システムでは，この検出感度係数Ｋの算出などの校正処理は，演算制御部１１に設けられた校正部１２によって行われる。また，得られた検出感度係数Ｋなどの校正結果は演算制御部１１に記憶され，実際の散乱吸収体に対する測定において用いられる。
　
（３）本願の優先権主張日前に頒布された刊行物である特開２００３−３２５４９４号公報（以下，「刊行物３」という。）には，「画像処理装置，画像処理システム，画像処理方法，記憶媒体，及びプログラム」について，図面とともに次の事項が記載されている。
（３−ア）
「
【００３９】上記の画素毎のゲイン特性を補正するために，本実施の形態では，先ず，放射線検出部１０１に被写体を介さず，一律に放射線を照射した際の画像データを明時画像データとして取得し，
画像処理部１０３は，画像記憶部１０２の明時画像データを用いて，被写体の放射線画像データを画素毎に正規化することで，放射線検出部１０１のゲイン特性に対する補正（ゲイン補正）を行う。
【００４４】明時画像データの取得については，放射線照射を伴うものであるため，被写体の放射線画像取得時に明時画像データを取得するのは困難である。このため，
明時画像データは，例えば一日に一度，或いは一週間に一度取得する等の方法をとる。
　
（４）本願の優先権主張日前に頒布された刊行物である特開２０００−１３５９８号公報（以下，「刊行物５」という。）には，「画像読取装置」について，図面とともに次の事項が記載されている（下線は当審で付与した。）。
（４−ア）
「【０００１】
【発明の属する技術分野】本発明は，イメージスキャナ，複写機，ファクシミリ装置など画像読取装置，特にシェーディング補正を行う画像読取装置に関する。
・・・
【００１１】また本発明で前記
増幅率記憶手段には，前記基準色画像情報を読取って得られる画素毎の増幅率が，複数の異なる時点で記憶され，前記増幅率制御手段は，複数の異なる時点で増幅率記憶手段に記憶されている増幅率に基づいて，画像情報の読取りを行う時点での増幅率を推定し，推定に従って信号増幅手段の増幅率を制御する
【００１２】本発明に従えば，信号増幅手段の増幅率は，複数の異なる時点で増幅率記憶手段に記憶される。増幅率記憶手段に記憶されている増幅率の時間的変化を履歴として参照すると，新たに画像情報を読取る時点での増幅率を，実際に基準色画像情報を読取らなくても推定して予測することが可能となる。これによって，画像情報の読取りが必要となるたびに，シェーディング補正用に基準色画像情報を読取る必要がなく，
連続読取りなどを高速に行うことができる
　
（４−イ）
「【００２５】図４は，本発明の実施の他の形態としての画像読取装置の概略的な電気的構成を示す。本実施形態で，図１の実施形態に対応する部分には同一の参照符を付し，重複した説明を省略する。本実施形態では，過去の増幅率データを，増幅率データ履歴記憶手段１７に順次格納しておく。制御手段１１は
白色基準板９からの画像読取りを行わないときには，過去複数回における履歴内容を増幅率データ履歴記憶手段１７から読出し，増幅率データの変化傾向に基づいて増幅率データの推定を行い，推定された増幅率データを増幅率データ記憶手段１３に格納して，シェーディング補正を行う。
・・・
【００２９】また本発明によれば，
増幅率の履歴に基づいて画像情報の読取り時点での増幅率を推定し，基準色画像情報の読取りを行う頻度を小さくしても適切な画素毎の増幅率の制御を行い，一様な階調特性での画像情報の読取りを行うことができる。
　
（５）本願の優先権主張日前に頒布された刊行物である特開平７−２３５８４８号公報（以下，「刊行物４」という。）には，「自動利得制御増幅器」について，図面とともに次の事項が記載されている。
（５−ア）
「【０００１】
【産業上の利用分野】本発明は，音声信号を所定レベルで出力するための自動利得制御増幅器に関するものである。
・・・
【０００３】
・・・音声の立ち上がり時間をあまり速くすることが出来ないので，特に入力レベルが低いときは，音声の始めの部分は毎回出力が小さく，その後徐々に大きくなり不自然に聞こえてしまうという問題点があった。
・・・
【０００５】
【課題を解決するための手段】本発明による自動利得制御増幅器は，信号検出部２で入力信号を検出しているとき，利得制御部３は出力が一定のレベルになるように可変利得増幅部１を逐次制御し，無信号時に利得を下げても入力信号を検出しているときの利得値を保持してその保持された利得値で動作させておき，
次の音声の立ち上がりでは，記録した値を初期値として利得制御する
音声の立ち上がり時間を大幅に短縮することができる
・・・
【００１０】　
【実施例２】
記録部４には過去の２回の利得値が記録される。この状態から次の信号の立ち上がり時（（キ）の部分）に，利得制御部１３は記録部１４のメモリＭ1 とメモリＭ2 に記録されている利得値を読み出し，これらの平均値を可変利得制御部１１に設定する
　
（５−イ）
「【００１３】
【発明の効果】以上のように，本発明は，
自動利得制御部増幅器において，過去の利得値を参照して制御しているので，利得の追従時定数とは無関係に，信号時の立ち上がり時間を大幅に短縮できる。
　
３　対比・判断　
　補正発明と引用発明とを対比する。
ア　引用発明の「散乱媒体の断面図の再構築方法」は，「頭部や女性の胸部など」を画像化の対象に含むのであり，これらは「混濁媒体」といえるから，補正発明の「混濁媒体の内部をイメージングする方法」に相当することは明らかである。
　
イ　補正発明の「レセプタクル」とは「容器」の意味を持ち，また，「測定ボリューム」は混濁媒体を収容する容器の混濁媒体側の表面が接して作る空間を意味するので，引用発明の「球型の画像化ヘッド」が，補正発明の「レセプタクル」に相当し，内部に「測定ボリューム」を有するといえるので，引用発明の「光ファイバを半球の頂点に取り付けることにより，１７のソース×１７の検出器までの測定が可能になる検出器は球型の画像化ヘッドの周囲に配置され，検出器は拡張する画像化ヘッドの内側に接するように配置される画像化ヘッド７００」は，補正発明の「複数のソース位置と複数の検出位置とを有するレセプタクルにより境界を接する測定ボリューム」の周囲に「前記複数のソース位置と前記複数の検出位置」とが，分散されているものといえる。そして，引用発明においては「頭部や女性の胸部などの散乱媒体の検査」が「拡張する画像化ヘッドの内側に」「頭部や女性の胸部などの散乱媒体」を収容して行われることは明らかである。
　してみると，引用発明の「頭部や女性の胸部などの散乱媒体の検査のため，光ファイバを半球の頂点に取り付けることにより，１７のソース×１７の検出器までの測定が可能になる，検出器は球型の画像化ヘッドの周囲に配置され，検出器は拡張する画像化ヘッドの内側に接するように配置される画像化ヘッド７００を用い」ること（ステップ）は，補正発明の「複数のソース位置と複数の検出位置とを有するレセプタクルにより境界を接する測定ボリューム内部に前記混濁媒体を収容するステップであって，前記複数のソース位置と前記複数の検出位置とが，前記測定ボリュームの周囲に分散される，ステップ」に相当する。
　
ウ　引用発明の「（Ｂ）ソース位置で，ある時間期間の間，散乱媒体が照射されるステップ」，
「（Ｄ）・・・信号の読出しの間に，光源の移動，新たなソース位置のための検出器ゲインの設定及びロックインの安定化のようなそれ以外のタスクのスケジュールが決定されるステップ」は，（Ｂ）（Ｃ）（Ｄ）ごとに光源の移動をするので，光源からの光を複数のソース位置を移動しながら照射しているといえるので，補正発明の「前記混濁媒体に対する前記複数のソース位置から光源からの光を前記複数のソース位置を切り替えながら前記混濁媒体に照射するステップ」を備えている。
　
エ　引用発明は，「１７のソース×１７の検出器までの測定が可能」であり，引用発明の「（Ｃ）散乱媒体から放出され検出器が検出した光をＳ／Ｈがサンプリングするステップ」は，その後の「（Ｄ）Ｓ／Ｈ信号が，すべてのチャネルがデータ取得によって読み出されるステップ・・・」により，複数の検出位置から検出することを前提にしていることが明らかであるから，引用発明の「（Ｃ）散乱媒体から放出され検出器が検出したゲインをＳ／Ｈがサンプリングするステップ」は，補正発明の「前記混濁媒体の照射の結果として前記測定ボリュームから生じる光を前記複数の検出位置から検出することにより，検出器信号を取得するステップ」に相当する。
　
オ　引用発明の「光検出器８０２によって光入力８０１において光を検出した後で，信号は，相互インピーダンス増幅器８０３に与えられ，８０３の相互インピーダンス値は，デジタル信号によって外部から設定可能であり，
信号は，後に，プログラマブル・ゲイン増幅器（ＰＧＡ）８０４によって増幅され，この増幅器のゲインは，デジタル信号８１４によって外部から設定することができ，
ロックイン検出の後では，復調された信号は，プログラマブル・ゲイン増幅器（ＰＧＡ）８０６，８１０によってゲインが適切にブーストされる」（ステップ）は，
相互インピーダンス増幅器８０３，プログラマブル・ゲイン増幅器（ＰＧＡ）８０４が，共に増幅係数をデジタル信号によって増幅器の外部から設定可能であり，プログラマブル・ゲイン増幅器（ＰＧＡ）８０６（または８１０）も含めて考えると，いずれも増幅係数をデジタル信号によって設定可能であるので，３つの増幅器の増幅係数を設定することによって，結果として，一つの増幅係数が選択されており，この３つの増幅器が補正発明の「マルチゲイン増幅ユニット」に相当し，この３つの増幅器いずれも外部から増幅係数を設定することができることが，補正発明の「選択された増幅係数に設定される」ことに相当する。
　したがって，引用発明は，補正発明の「マルチゲイン増幅ユニットを用いて増幅するステップであって，各ユニットが，選択された増幅係数に設定される，ステップ」に相当する構成を有する。
　
カ　引用発明は，（Ｃ）においてＳ／Ｈがサンプリングするのであるが，各Ｓ／Ｈは検出器の各チャネルに対応するから，それぞれに適した増幅係数は独立であるといえる。そうすると各Ｓ／Ｈごとに増幅係数を設定することになる。
　そうすると，上記オで示した引用発明が有する構成は，補正発明の「複数のマルチゲイン増幅ユニットを用いて増幅するステップであって，各ユニットが，選択された増幅係数に設定されるといえる」に相当することになる。
　また，これらの増幅係数の設定は，（Ｄ）において，光源の移動と共に新たなソース位置のための検出器ゲインの設定を行っているので「各ユニットが，前記複数のソース位置の切り替えに同期して，選択された増幅係数に設定される」といえる。
　そして，引用発明の「光検出器８０２によって検出した光」は，上記エより、その時のソース位置からの光を複数の検出位置で検出するものであるが，各検出位置で検出している光は，一つのソース位置からのものであるから，ソース位置と検出位置はペアになっているといえるので補正発明の「各ソース位置対検出位置ペアに対する前記検出器信号」といえる。
　そうすると，上記引用発明が有する構成は，補正発明の「各ソース位置対検出位置ペアに対する前記検出器信号を複数のマルチゲイン増幅ユニットを用いて増幅するステップであって，各ユニットが，前記複数のソース位置の切り替えに同期して，選択された増幅係数に設定される，ステップ」に相当する。
　
　そうすると，両者は，　　
（一致点）　　
　「混濁媒体の内部をイメージングする方法において，
　複数のソース位置と複数の検出位置とを有するレセプタクルにより境界を接する測定ボリューム内部に前記混濁媒体を収容するステップであって，前記複数のソース位置と前記複数の検出位置とが，前記測定ボリュームの周囲に分散される，ステップと，
　前記混濁媒体に対する前記複数のソース位置から光源からの光を前記複数のソース位置を切り替えながら前記混濁媒体に照射するステップと，
　前記混濁媒体の照射の結果として前記測定ボリュームから生じる光を前記複数の検出位置から検出することにより，検出器信号を取得するステップと，
　各ソース位置対検出位置ペアに対する前記検出器信号を複数のマルチゲイン増幅ユニットを用いて増幅するステップであって，各ユニットが，前記複数のソース位置の切り替えに同期して，選択された増幅係数に設定される，ステップとを有する，方法。」である点で一致し，以下の点で相違するといえる。　
　
（相違点）　
　前記増幅係数に関して，補正発明が，「少なくとも１つのソース位置対検出位置ペアに対する前記増幅係数が，少なくとも１つのマルチゲイン増幅ユニットの増幅係数の選択に関する履歴データに基づく，予想電気信号強度の推定に基づき選択される」のに対して，引用発明では，設定される検出器ゲインが何に基づいて選択されるのかが不明である点。
　
（１）相違点についての検討
　増幅係数を設定する装置において，同様な測定対象を測定する場合に過去の増幅係数データを用い，設定時間を短縮することは，周知技術である（例えば上記刊行物２の摘記事項（２−ア）には「校正用ファントムを用いて得られた検出感度係数Ｋなどの校正結果は演算制御部１１に記憶され，実際の散乱吸収体に対する測定において，過去に取得された検出感度係数Ｋなどの校正結果を用いる」例が示され，上記刊行物３の摘記事項（３−ア）には「一週間に一度取得する明時画像データ，すなわち過去のゲイン特性補正用データを用いて放射線検出部１０１のゲイン特性に対する補正（ゲイン補正）を行う」例が示され，上記刊行物４の摘記事項（４−ア），（４−イ）には「過去複数回における履歴内容を増幅率データ履歴記憶手段１７から読出し，増幅率データの変化傾向に基づいて増幅率データの推定を行い連続読取りなどを高速に行う，すなわち時間を短縮する」例が示され，上記刊行物５の摘記事項（５−イ）には「自動利得制御部増幅器において，過去の利得値を参照して制御しているので，利得の追従時定数とは無関係に，信号時の立ち上がり時間を大幅に短縮できる」例が示されている。）
　そして，混濁媒体の撮像をできるだけ短時間にすることは，患者の負担を減らすための当然の課題である。
　してみると，引用発明に上記周知技術を採用して，増幅係数を，増幅係数の選択に関する過去の設定データ，すなわち，履歴データに基づき選択するようにすることは，十分動機付けがあり，阻害要因もなく，当業者が容易に想到するものといえる。
　そして，増幅係数を過去の履歴により設定することは，過去の検出電気信号に基づき電気信号強度を推定しているものといえる。
　したがって，上記相違点は，周知技術に基づき当業者の容易に想到し得ることである。
　
（２）そして，補正発明の作用効果は，刊行物１記載の事項および周知技術から当業者が予測し得る範囲内のものにすぎない。
　
（３）したがって，補正発明は，引用発明および周知技術に基いて当業者が容易に発明をすることができたものであるから，特許法第２９条第２項の規定により，特許出願の際独立して特許を受けることができないものである。
　　　
４　まとめ　　
　以上のとおりであるから，本件補正は，平成１８年法改正前の特許法第１７条の２第５項において準用する同法第１２６条第５項の規定に違反するので，同法第１５９条第１項の規定において読み替えて準用する同法第５３条第１項の規定により，却下すべきものである。　
　
第３　本願発明について　　
１　本願発明　　
　本件補正は，上記のとおり却下されることとなるので，本願の請求項１〜１０に係る発明は，平成２４年３月３０日付け手続補正書により補正された特許請求の範囲の請求項１〜１０に記載された事項により特定されたものであって，その請求項５に係る発明は，次のとおりであると認める。　　
「　　【請求項１】
　混濁媒体の内部をイメージングする方法において，
　複数のソース位置と複数の検出位置とを有するレセプタクルにより境界を接する測定ボリューム内部に前記混濁媒体を収容するステップであって，両タイプの位置が，前記測定ボリュームの周囲に分散される，ステップと，
　前記混濁媒体に対する前記複数のソース位置から光源からの光を前記混濁媒体に照射するステップと，
　前記混濁媒体の照射の結果として前記測定ボリュームから生じる光を前記複数の検出位置から検出することにより，検出器信号を取得するステップと，
　各ソース位置対検出位置ペアに対する前記検出器信号をマルチゲイン増幅ユニットを用いて増幅するステップであって，各ユニットが，選択された増幅係数に設定される，ステップとを有し，
　少なくとも１つのソース位置対検出位置ペアに対する前記増幅係数が，予想電気信号強度の推定に基づき選択される，方法。
　　【請求項５】
　前記予想電気信号強度の推定が，少なくとも１つのマルチゲイン増幅ユニットの増幅係数の選択に関する履歴データに基づかれる，請求項１に記載の方法。」（以下，請求項５に係る発明を「本願発明」という。）
　
２　引用刊行物およびその記載事項　　
　本願出願前に頒布された刊行物１〜５およびその記載事項は，上記「第２　２」に記載したとおりである。　　
　　　
３　当審の判断　　
　本願発明は，補正発明の「
前記複数のソース位置と前記複数の検出位置と
補正発明の「複数のソース位置から光源からの光を
前記複数のソース位置を切り替えながら
補正発明の「各ソース位置対検出位置ペアに対する前記検出器信号を
複数の
補正発明の「各ユニットが，
前記複数のソース位置の切り替えに同期して，
「各ユニットが，選択された増幅係数に設定される」タイミングについての限定を省いたものに相当する。
　そうすると，本願発明の構成要件を全て含む補正発明が，上記「第２　３」において検討したとおり，引用発明および周知技術に基いて，当業者が容易に発明をすることができたものであるから，本願発明も，同様の理由により，引用発明および周知技術に基いて当業者が容易に発明をすることができたものであるというべきである。
　
第４　まとめ　　
　以上のとおり，本願発明は，特許法第２９条第２項の規定により特許を受けることができないから，その他の請求項について言及するまでもなく，本願は拒絶されるべきものである。　　
　よって，結論のとおり審決する。